(57)【要約】【課題】パーソナルコンピュータシステムのセキュリティ性を向上可能な本人確認システムを提供する。【解決手段】本発明のパーソナルコンピュータのポインディングデバイスの一つであるマウスには、利用者本人確認のための指紋情報検出部と非接触データ読み取り機能を備え、指紋情報検出部よりの指紋情報と非接触データ読み取り機能が利用者の指紋情報が予め登録している当該記録媒体よりの指紋情報とをマウス内部等で比較照合し、その結果により、パーソナルコンピュータへの利用の可否を判断することを特徴とするものである。【選択図】図５
2005038005.tif 000002
【特許請求の範囲】
【請求項１】
コンピュータに接続して入力操作を行うマウスにおいて、利用者の指紋を読み取る指紋センサー部と、非接触ＩＣカードのデータを非接触で読み取る非接触データ読み取り書き込み機能部とを備え、指紋センサー部が読み取った利用者の指紋情報と当該非接触ＩＣカードより読み取った予め非接触ＩＣカードに登録された指紋情報とを当該マウス内部で比較照合し、照合結果が一致したときにコンピュータに予め搭載している認証プログラムが、コンピュータの使用を許可することを特徴とする指紋センサー搭載マウス。
【請求項２】
コンピュータに接続して入力操作を行うマウスにおいて、利用者の指紋を読み取る指紋センサー部と、非接触ＩＣカードのデータを非接触で読み取る非接触データ読み取り書き込み機能部とを備え、指紋センサー部が読み取った利用者の指紋情報と当該非接触ＩＣカードに予め登録された指紋情報とを非接触ＩＣカード内部で比較照合し、照合結果が一致したときにコンピュータに予め搭載している認証プログラムが、コンピュータの使用を許可することを特徴とする指紋センサー搭載マウス。
【請求項３】
コンピュータに接続して入力操作を行うマウスにおいて、利用者の指紋を読み取る指紋センサー部と、非接触ＩＣカードのデータを非接触で読み取る非接触データ読み取り書き込み機能部とを備え、指紋センサー部が読み取った利用者の指紋情報と当該非接触ＩＣカードより読み取った予め非接触ＩＣカードに登録された指紋情報とをマウスが接続しているコンピュータ内部で比較照合し、照合結果が一致したときにコンピュータに予め搭載している認証プログラムが、コンピュータの使用を許可することを特徴とする指紋センサー搭載マウス。
【発明の詳細な説明】
【０００１】
【発明の属する技術分野】
本発明は、利用者を認証するための指紋情報読み取り機能を搭載したコンピュータ接続用のマウスに関する。
詳しくは、利用者本人を確認するための指紋センサー部と非接触データ読み取り書き込み機能部とを備えたマウスであって、指紋センサー部よりの指紋情報と、非接触データ読み取り書き込み機能部よりの非接触で読み取った非接触ＩＣカード内に予め承認され登録された利用者の指紋情報とを比較照合するためのマウスに関する。
【０００２】
【従来の技術】
従来、パーソナルコンピュータ用マウスに指紋情報検出部を搭載し、コンピュータの利用者を認証する提案は、特許文献１にされている。
【０００３】
【特許文献１】
特開平１０−１４３２７０号公報
【０００４】
特許文献１は、マウスに指紋読取手段と、マウス本体に情報記録媒体の挿入口を設て、該挿入口より挿入された情報記録媒体から指紋情報を読み出す手段を備え、指紋読取手段から読み取られた指紋情報と情報記録媒体から読み出された指紋情報とをマウス内部もしくはコンピュータ本体の照合手段で照合し、照合結果が一致したときにマウスの操作を可能とするマウスを提案している。
【０００５】
しかし、特許文献１が、マウス本体に情報記録媒体の挿入口を設けおり、この挿入口より粉塵が、マウス本体内部に入り、ボールマウスであればボール位置検出機構等の機構部等に付着し、マウスの故障の一因となる問題がある。
【０００６】
【発明が解決しようとする課題】
以上のように特許文献１では、マウスに利用者の指紋情報を記録する情報記録媒体の挿入口を設けている。挿入口より入る粉塵等は、マウスの故障原因の一因なり、信頼性に欠けることは、利用者には不便である。
そこで、本願発明者は、高信頼性のコンピュータのマウスを完成するべく、鋭意研究して本発明に至ったものである。
【０００７】
【課題を解決するための手段】
上記課題を解決する本発明の請求項１の要旨は、コンピュータに接続して入力操作を行うマウスにおいて、利用者の指紋を読み取る指紋センサー部と、非接触ＩＣカードのデータを非接触で読み取る非接触データ読み取り書き込み機能部とを備え、指紋センサー部が読み取った利用者の指紋情報と当該非接触ＩＣカードより読み取った予め非接触ＩＣカードに登録された指紋情報とを当該マウス内部で比較照合し、照合結果が一致したときに照合結果が一致したときにコンピュータに予め搭載している認証プログラムがコンピュータの使用を許可することを特徴とする指紋センサー搭載マウスである。
【０００８】
上記課題を解決する本発明の請求項２の要旨は、コンピュータに接続して入力操作を行うマウスにおいて、利用者の指紋を読み取る指紋センサー部と、非接触ＩＣカードのデータを非接触で読み取る非接触データ読み取り書き込み機能部とを備え、指紋センサー部が読み取った利用者の指紋情報と当該非接触ＩＣカードに予め登録された指紋情報とを非接触ＩＣカード内部で比較照合し、照合結果が一致したときに照合結果が一致したときにコンピュータに予め搭載している認証プログラムがコンピュータの使用を許可することを特徴とする指紋センサー搭載マウスである。
【０００９】
上記課題を解決する本発明の請求項３の要旨は、コンピュータに接続して入力操作を行うマウスにおいて、利用者の指紋を読み取る指紋センサー部と、非接触ＩＣカードのデータを非接触で読み取る非接触データ読み取り書き込み機能部とを備え、指紋センサー部が読み取った利用者の指紋情報と当該非接触ＩＣカードより読み取った予め非接触ＩＣカードに登録された指紋情報とをマウスが接続しているコンピュータ内部で比較照合し、照合結果が一致したときに照合結果が一致したときにコンピュータに予め搭載している認証プログラムがコンピュータの使用を許可することを特徴とする指紋センサー搭載マウスである。
【００１０】
【発明の実施の形態】
以下、本発明の指紋センサー搭載マウス（以下、「本発明のマウス」という。）の実施の形態について、図面に基づいて説明する。
図１は、本発明のマウスの外観を示す上面図である。
図２は、本発明のマウスに搭載した指紋センサーの原理の説明図である。
図３は、本発明のマウスの非接触データ読み取り書き込み機能部装着位置を図示する側面図である。
図４は、非接触データ読み取り書き込み機能部と非接触ＩＣカードのデータ交信の状況を説明図である。
図５は、実施形態１の本発明のマウスとパーソナルコンピュータとの関係を示すブロック図である。
図６は、実施形態１の利用者認証手順を示すフロー図である。
図７は、実施形態２の本発明のマウスとパーソナルコンピュータとの関係を示すブロック図である。
図８は、実施形態２の利用者認証手順を示すフロー図である。
図９は、実施形態３の本発明のマウスとパーソナルコンピュータとの関係を示すブロック図である。
図１０は、実施形態３の利用者認証手順を示すフロー図である。
【００１１】
図１に示すようにマウス１本体には、プラスチック等で射出成型したマウス筐体１Ａの表面に指紋センサー２を備えている。指紋センサー２には、光学的もしくは電気的な指紋センサーのいずれかを搭載できるが、図１では静電容量検出方式の電気的な指紋センサーの場合を示している。なお、マウス筐体１Ａの表面に左右のクリックスイッチ１Ａを備え、下面にトラックボールを備えるのは通常のマウスと同様である。マウス１のデータは信号線３により、図示しないパーソナルコンピュータに送信される。
また、非接触データ読み取り書き込み機能部４は、図１で矩形状の鎖線を付した部分のマウス１内部に格納されている。
【００１２】
静電容量検出方式の指紋センサー２の検出原理を図２に基づいて説明する。検出電極２Ａの上に指を載せたときに、検出電極２Ａと指の表面との間に指紋の凸部である隆線２Ｂと指紋の凹部である隆線溝２Ｃに応じて形成される静電容量差を検出することによって、隆線２Ｂと隆線溝２Ｃによる指紋パターンを取得するものである。
すなわち、指紋の隆線２Ｂでは指の表面と検出電極２Ａとの間の距離が短くなるため、指紋の隆線の静電容量２Ｄが大きくる。また、指紋の隆線溝２Ｃでは指の表面と検出電極２Ａとの距離が長くなるため、指紋の隆線溝の静電容量２Ｅはが小さくなる。このことから指紋の隆線２Ｂと隆線溝２Ｃの静電容量差を検出することにより指紋のパターンを検出するものである。
【００１３】
図３は、本発明のマウス１本体に非接触データ読み取り書き込み機能部４を装着する位置を図示する一部切り欠き側面図である。マウス１本体の上部には、電磁誘導方式の非接触データ交信を行う非接触データ読み取り書き込み機能部４を装着する。
具体的には、非接触データ読み取り書き込み機能部４のアンテナコイル４Ａを射出成型樹脂よりなるマウス筐体１Ａ内部に貼着等する。さらに、非接触データ読み取り書き込み機能部４のアンテナコイル４Ａと非接触データ処理回路部４Ｂとを接続する。
マウス１本体の筐体１Ａは、プラスチックの射出成型樹脂製であるため電磁誘導方式のデータ交信には影響しない。さらに、非接触ＩＣカード５はマウス１本体に挿入する必要がなく、マウス１のアンテナコイル４Ａ上にかざすだけで交信が可能となる。したがって、マウス１本体には、ＩＣカードの挿入口を設ける必要がない。
また、クリックスイッチ１Ｂ、トラックボール１Ｃは、通常のマウス機能のものと異なるものではない。
【００１４】
図４に基づいて、非接触データの交信について説明する。非接触データ読み取り書き込み機能部４のアンテナコイル４Ａから放射される電磁波は、電力の供給役割と、位相変化、振幅の強弱の調整をキャリアとするデータ送信との２つの目的を行っている。
すなわち、非接触データ読み取り書き込み機能部４のアンテナコイル４Ａから放射される電磁波を非接触ＩＣカード５の内アンテナコイル５Ａが受け、アンテナコイル５Ａに電磁誘導により起電力が発生し、この起電力が非接触ＩＣチップ５Ｂに供給される。
送信データは、電磁波に位相変化、振幅の強弱の調整をキャリアとして付加し、非接触ＩＣカード５内アンテナコイル５Ａの両端に電位差が生じ、この電位差より非接触ＩＣチップ５内でデータ信号成分に変換されることにより伝搬される。
非接触ＩＣカード５内の非接触ＩＣチップ５Ｂからのデータ送信は、上述した流れと逆の流れで信号が伝搬される。
このため、非接触ＩＣカード５内に電池を搭載せずに非接触でデータ交信が可能となる。
【００１５】
以下には、本発明の実施形態を３種の例を上げて説明する。図１で示したマウス１は、実施形態１では１０１、実施形態２では１０２，実施形態３では１０３の符号を付して表示する。
また、図４で示した非接触ＩＣカード５は、実施形態１では５０１、実施形態２では５０２、実施形態３では５０３の符号を付して表示する。
【００１６】
＜実施形態１＞
請求項１に記載の指紋センサー部が読み取った利用者の指紋情報と当該非接触ＩＣカードより読み取った予め非接触ＩＣカードに登録された指紋情報とをマウス内部で比較照合し、照合結果が一致したときにパーソナルコンピュータの使用を許可する指紋センサー搭載マウスについて説明する。
図５は、実施形態１のマウス１０１とパーソナルコンピュータ１００１との関係を示すブロック図である。
図５のようにマウス１０１本体は、ボールマウス機能回路部１Ｅに加えて、利用者の指紋情報を検出するための指紋情報検出回路部１Ｄを有している。指紋情報検出回路部１Ｄは、指紋センサー２と抽出回路６を有し、さらに非接触ＩＣカード５０１の非接触データ読み取り書き込み機能部４も有している。抽出回路６と非接触データ読み取り書き込み機能部４は、認証回路７に接続し、認証回路７はバスライン８に接続している。なお、バスライン８には、マウスの他の諸機能も接続している。
バスライン８は、通信インターフェース９、信号線３を通じて、パーソナルコンピュータ１００１に接続する。
【００１７】
非接触ＩＣカード５０１は、パーソナルコンピュータの使用を許可された利用者の指紋を判別するための指紋判別データを予め登録している。指紋判別データは、例えば指紋の特徴点又は特異点呼ばれる箇所のイメージデータあるいは特別なアルゴリズムで処理したデータを示す。以下、単に指紋判別データという。
なお、非接触ＩＣカード５０１内に予め登録している利用者の指紋情報の指紋判別データは、暗号化データとして記録している。非接触ＩＣカード５０１内の暗号化した利用者の指紋情報の指紋判別データは、マウス１０１本体の非接触データ読み取り書き込み機能部４を通じて、認証回路７に供給される。認証回路７は、暗号化データの復号化処理を行い、復号化したデータを比較照合に用いる構成としている。
これは、非接触ＩＣカード５０１とマウス１０１本体の非接触データ読み取り書き込み機能部４との非接触データ交信の際に傍受による悪用を防止するセキュリティ向上の目的である。
【００１８】
認証回路７は、抽出回路６よりの利用者指紋の指紋判別データと、非接触ＩＣカード５０１内より取得した利用者指紋の指紋判別データの比較を行う。
認証回路７は、比較結果が一致した場合は、利用者を認証したことを示す認証信号を生成する。
また、認証回路７は、比較結果が不一致を示す場合は、非承認信号を生成する。
【００１９】
パーソナルコンピュータ１００１は、認証回路７より認証信号を受信した場合には、パーソナルコンピュータに予め搭載している認証プログラム１００１Ａが、利用者のパーソナルコンピュータ１００１の使用を許可する。
また、パーソナルコンピュータ１００１は、認証回路７より非認証信号を受信した場合にはパーソナルコンピュータ１００１に搭載している認証プログラム１００１Ａが、利用者のパーソナルコンピュータ１００１への使用を許可せず、表示装置１１に「認証不可能」との表示を示すプログラムを搭載しているため表示装置１１に認証不可能と表示し、パーソナルコンピュータ１００１に搭載しているオペレーションシステムの立ち上げを許可しない。
【００２０】
実施形態１の非接触データ交信機能付き指紋センサー搭載マウスの認証手順を図６に示すフロー図とともに説明する。
（１）利用者は、マウス１０１本体の指紋センサー２に指をおき、指紋を読み取らせる。抽出回路６は、利用者の指紋判別データを抽出し、認証回路７に供給する。（ステップ１０１）
（２）利用者は、自身の指紋判別データを先に暗号化し記録している非接触ＩＣカード５０１をマウス１本体にかかげる。（ステップ１０２）
（３）マウス１０１本体に内蔵された非接触データ読み取り書き込み機能部が、非接触ＩＣカード５０１内の利用者の暗号化された指紋の指紋判別データを読み取り、認証回路７に供給する。暗号化データを認証回路内７で復号化する。（ステップ１０３）
（４）認証回路７は、指紋センサー２が読み取り抽出回路６が抽出した指紋判別データと、非接触ＩＣカード５０１から非接触読み取り書き込み機能部４が読み取り認証回路７で復号化した指紋判別データとの比較を行う。
（ステップ１０４）
（５）認証回路７は、比較結果が一致する場合には、利用者を認証したことを示す認証信号を生成し、パーソナルコンピュータ１００１に送信する。
パーソナルコンピュータ１００１は、認証信号を得てパーソナルコンピュータ１００１に搭載している認証プログラム１００１Ａが利用者の使用を許可し、利用者のパーソナルコンピュータ１００１の使用が開始される。（ステップ１０５）
（６）認証回路７は、比較結果が不一致の場合には、非認証信号を生成し、パーソナルコンピュータ１００１に送信する。（ステップ１０６）
（７）パーソナルコンピュータ１００１に予め搭載している認証プログラム    １００１Ａは、非認証信号より、表示装置１１に「認証不可能」との表示を行い、パーソナルコンピュータ１００１が搭載しているＯＳの立ち上げを許可しない。（ステップ１０７）
【００２１】
＜実施形態２＞
請求項２に記載の指紋センサー部が読み取った利用者の指紋情報と当該非接触ＩＣカードより読み取った予め非接触ＩＣカードに登録された指紋情報とを非接触ＩＣカード内部で比較照合し、照合結果が一致したときにパーソナルコンピュータの使用を許可する指紋センサー搭載マウスについて説明する。
なお、実施形態２では、指紋センサー搭載マウス１０２はマウス本体に認証回路を搭載しないものを使用し、非接触ＩＣカード５０２は内部に認証プログラム５０２Ａと復号化プログラム５０２Ｂを搭載するものを使用する。
【００２２】
図７は、実施形態２の本発明のマウスとパーソナルコンピュータとの関係を示すブロック図である。図７において、非接触ＩＣカード５０２に搭載されている認証プログラム５０２Ａは、マウス１０２の非接触データ読み取り書き込み機能部４より非接触にて送信されたマウス１０２の抽出回路６よりの利用者の指紋判別データと、非接触ＩＣカード５０２内部の半導体メモリーに暗号化し記憶している利用者の指紋判別データとを非接触ＩＣカード５０２に搭載されている復号化プログラム５０２Ｂで復号化した指紋判別データとの比較を行う。
認証プログラム５０２Ａは、比較結果が一致した場合は、利用者を認証したことを示す認証信号を生成し、マウス１０２の非接触データ読み取り書き込み機能部４が非接触で読み取り、バスライン８、信号インターフェース９、信号線３を通してパーソナルコンピュータ１００２に送信する。
また、認証プログラム５０２Ａは、比較結果が不一致を示す場合は、非承認信号を生成し、マウス１０２の非接触データ読み取り書き込み機能部４が非接触で読み取り、バスライン８、信号インターフェース９、信号線３を通してパーソナルコンピュータ１００２に送信する。
【００２３】
パーソナルコンピュータ１００２は、非接触ＩＣカード５０２より認証信号を受信した場合には、パーソナルコンピュータ１００２に予め搭載している認証プログラム１００２Ａが利用者のパーソナルコンピュータ１００２の使用を許可する。
また、パーソナルコンピュータ１００２は、非接触ＩＣカード５０２より非認証信号を受信した場合には、パーソナルコンピュータ１００２に予め搭載している認証プログラム１００２Ａが利用者のパーソナルコンピュータ１００２への使用を許可せず、表示装置１１に「認証不可能」との表示を示すプログラムを搭載しているため表示装置１１に認証不可能と表示し、パーソナルコンピュータ１００１に搭載しているオペレーションシステムの立ち上げを許可しない。
【００２４】
実施形態２の非接触データ交信機能付き指紋センサー搭載マウスの認証手順を図８に示すフロー図とともに説明する。
（１）利用者は、マウス１０２本体の指紋センサー２に指をおき、指紋を読み取らせる。抽出回路６は、指紋判別データを抽出し、非接触データ読み取り書き込み機能部４に供給する。（ステップ１０１―２）
（２）利用者は、自身の指紋判別データが先に暗号化し記録している非接触ＩＣカード５０２をマウス１０２本体にかかげる。（ステップ１０２―２）
（３）マウス１０２本体に内蔵された非接触データ読み取り書き込み機能部は、抽出回路６より供給された指紋判別データを非接触ＩＣカード５０２に非接触で送信する。（ステップ１０３―２）
（４）非接触ＩＣカード５０２内部に搭載されている認証プログラム５０２は、指紋センサー２が読み取り抽出回路６が抽出し非接触データ読み取り書き込み機能部４より非接触で送信された指紋判別データと、非接触ＩＣカード５０２内部に記憶し復号化プログラム５０２Ｂで復号化した指紋の指紋判別データとの比較を行う。（ステップ１０４―２）
（５）認証プログラム５０２Ａは、比較結果が一致する場合には、利用者を認証したことを示す認証信号を生成し、マウス１０２の非接触データ読み取り書き込み機能部４が非接触で読み取り、パーソナルコンピュータ１００２に送信する。パーソナルコンピュータ１００２は、認証信号を得てパーソナルコンピュータ１００２に予め搭載している認証プログラム１００２Ａが利用者の使用を許可し、パーソナルコンピュータの使用が開始される。
（ステップ１０５―２）
（６）認証プログラム５０２Ａは、比較結果が不一致の場合には、非認証信号を生成し、マウス１０２の非接触データ読み取り書き込み機能部４が非接触で読み取り、パーソナルコンピュータ１００２に送信する。（ステップ１０６―２）
（７）パーソナルコンピュータ１００２に予め搭載している認証プログラム１００２Ａは、非認証信号より、表示装置１１に「認証不可能」との表示を行い、パーソナルコンピュータ１００２に搭載しているＯＳの立ち上げを許可しない。（ステップ１０７―２）
【００２５】
＜実施形態３＞
請求項３に記載の指紋センサー部が読み取った利用者の指紋情報と当該非接触ＩＣカードより読み取った予め非接触ＩＣカードに登録された指紋情報とをパーソナルコンピュータ内部で比較照合し、照合結果が一致したときにパーソナルコンピュータの使用を許可することを特徴とする指紋センサー搭載マウスについて説明する。
なお、実施形態３の構成は、パーソナルコンピュータ１００３においては、認証プログラム１００３Ａと復号化プログラム１００３Ｂを搭載し、指紋センサー搭載マウスにおいては、マウス本体に認証回路を搭載しないマウス１０３を使用する。なお、実施形態２のマウス１０２と実施形態３のマウスは、同一の構成である。
さらに非接触ＩＣカードは、認証プログラム及び復号化プログラムを搭載しない非接触ＩＣカード５０３を使用する。なお、実施形態１の非接触ＩＣカード５０１と実施形態３の非接触ＩＣカード５０３は、同一の構成である。
【００２６】
図９は、実施形態３の本発明のマウスとパーソナルコンピュータとの関係を示すブロック図である。図９において、パーソナルコンピュータ１００３に搭載されている認証プログラム１００３Ａは、マウス１０３の抽出回路６よりの利用者の指紋判別データと、非接触ＩＣカード５０３内よりの利用者指紋情報の暗号化した指紋判別データが非接触データ読み取り書き込み機能部４より供給されパーソナルコンピュータ１００３に搭載されている復号化プログラム１００３Ｂで復号化した指紋判別との比較を行う。
認証プログラム１００３Ａは、比較結果が一致した場合は、利用者を認証し、パーソナルコンピュータ１００３の利用を許可する。
また、認証プログラム１００３Ａは、比較結果が一致しない場合は、パーソナルコンピュータ１００３の使用を許可しない。さらに、パーソナルコンピュータ１００３は、表示装置１１に「認証不可能」との表示を示すプログラムを搭載しているため表示装置１１に認証不可能と表示し、パーソナルコンピュータ１００３に搭載しているオペレーションシステムの立ち上げを許可しない。
【００２７】
実施形態３の非接触データ交信機能付き指紋センサー搭載マウスの認証手順を図１０に示すフロー図とともに説明する。
（１）利用者は、マウス１０３本体の指紋センサー２に指をおき、指紋を読み取らせる。抽出回路６は、利用者の指紋判別データを抽出し、バスライン８，通信インターフェース９，信号線３を通して、パーソナルコンピュータ１００３に供給する。（ステップ１０１―３）
（２）利用者は、自身の指紋判別データを先に暗号化し、記録している非接触ＩＣカード５０３をマウス１０３本体にかかげる。（ステップ１０２―３）
（３）マウス５０３本体に内蔵された非接触データ読み取り書き込み機能部が、非接触ＩＣカード５０３内の利用者の暗号化された指紋の指紋判別データの情報を読み取り、バスライン８，通信インターフェース９，信号線３を通して、パーソナルコンピュータ１００３に供給する。パーソナルコンピュータ１００３が搭載する復号化プログラム１００３Ｂにより復号化する。（ステップ１０３―３）
（４）パーソナルコンピュータ１００３が搭載する認証プログラム１００３Ａ  は、指紋センサー２が読み取り抽出回路６が抽出した指紋判別と、非接触ＩＣカード５０３から非接触読み取り書き込み機能部４が読み取り、パーソナルコンピュータ１００３が搭載する復号化プログラム１００３Ｂで復号化した指紋の指紋判別データとの比較を行う。（ステップ１０４―３）
（５）パーソナルコンピュータ１００３が搭載する認証プログラム１００３Ａ  内で比較結果が一致する場合には、パーソナルコンピュータ１００３の使用が開始される。（ステップ１０５―３）
（６）パーソナルコンピュータ１００３が搭載する認証プログラム１００３Ａ  内で比較結果が不一致の場合には、パーソナルコンピュータ１００３の使用を許可しない。（ステップ１０６―３）
（７）パーソナルコンピュータ１００３に予め搭載している認証プログラム１００３Ａは、使用を許可しない場合には表示装置１１に「認証不可能」との表示を行い、パーソナルコンピュータ１００３に搭載しているＯＳの立ち上げを許可しない。（ステップ１０７―３）
【００２８】
マウス１本体に内蔵された非接触データ読み取り書き込み機能部４は、いわゆる非接触ＩＣカードのリーダーライターとしての機能を備えるため、一般の非接触ＩＣカードのリーダーライターとしても使用が可能である。
例えば、非接触ＩＣカード利用小額決済電子マネーシステムであれば、利用者のインターネットショッピングの小額決済に本発明のマウスと電子マネー機能搭載非接触ＩＣカードの採用が可能であり、本発明のマウス１を多目的に利用が可能である。
さらに、利用者の指紋情報も格納した電子マネー機能搭載非接触ＩＣカードと本発明マウス１を利用すれば、パスワードより確実な決済時の本人認証が、実現可能である。
【００２９】
以上のように本発明の各実施形態について説明したが、本発明は上記の実施形態に記載にされた具体的構成のみに限定されるものではない。
（１）例えば、指紋判別データを暗号化した場合を例に説明したが、必ずしも暗号化する必要がなく、平文のままでも良い。その場合は、暗号化と復号化に係わる処理機能又はプログラムは不要となる。
（２）例えば、マウスとしては、ボール回転式のマウスであるボールマウスを用いた場合について説明したが、これに限定するものではなく光学マウス、回転ホイール付きマウス、トラックボールあるいはジョイスティック等のパーソナルコンピュータ用のポンティングデバイスであれば良い。
（３）非接触ＩＣカードを用いた場合について説明したが、これに限定されることなく、ＩＳＯ／ＩＥＣ７８１６で定めるＳＩＭ形状に非接触データ交信機能を搭載したものであっても良い。
（４）パーソナルコンピュータを用いた場合について説明したが、これに限定されるものではなく銀行のテラーズマシンなどコンピュータを組み込んだ機器でマウスを使用するものであっても良い。
【００３０】
【発明の効果】
本発明の指紋センサー搭載マウスは、非接触ＩＣカードによる非接触データ交信方法を採用しているため、非接触ＩＣカードをマウスに接近させてかかげるだけで、データ交信が可能である。このため、挿入口をマウス本体に設ける必要がないため、挿入口よりの粉塵の侵入がなく、高信頼性のマウスの実現が可能である。
【図面の簡単な説明】
【図１】本発明のマウスの外観を示す上面図である。
【図２】本発明のマウスに搭載した指紋センサーの原理の説明図である。
【図３】本発明のマウスの非接触データ読み取り書き込み機能部装着位置を図示する側面図である。
【図４】非接触データ読み取り書き込み機能部と非接触ＩＣカードの非接触データ交信状況の説明図である。
【図５】実施形態１の本発明のマウスとパーソナルコンピュータとの関係を示すブロック図である。
【図６】実施形態１の利用者認証手順を示すフロー図である。
【図７】実施形態２の本発明のマウスとパーソナルコンピュータとの関係を示すブロック図である。
【図８】実施形態２の利用者認証手順を示すフロー図である。
【図９】実施形態３の本発明のマウスとパーソナルコンピュータとの関係を示すブロック図である。
【図１０】実施形態３の利用者認証手順を示すフロー図である。
【符号の説明】
１……………マウス
１Ａ…………マウス筐体
１Ｂ…………クリックスイッチ
１Ｃ…………トラックボール
１Ｄ…………指紋情報検出回路部
１Ｅ…………ボールマウス機能回路部
１０１………実施形態１のマウス
１０２………実施形態２のマウス
１０３………実施形態３のマウス
２………………指紋センサー
２Ａ…………検出電極
２Ｂ…………隆線
２Ｃ…………隆線溝
２Ｄ…………隆線の静電容量
２Ｅ…………隆線溝の静電容量
３………………信号線
４………………非接触データ読み取り書き込み機能部
４Ａ…………非接触データ読み取り書き込み機能部のアンテナコイル
４Ｂ…………非接触データ処理回路部
５………………非接触ＩＣカード
５Ａ…………非接触ＩＣカードに搭載されるアンテナコイル
５Ｂ…………非接触ＩＣカードに搭載される非接触ＩＣチップ
５０１………実施形態１の非接触ＩＣカード
５０２………実施形態２の非接触ＩＣカード
５０２Ａ…実施形態２の非接触ＩＣカードの非接触ＩＣチップ内部に搭載される認証プログラム
５０２Ｂ…実施形態２の非接触ＩＣカードの非接触ＩＣチップ内部に搭載される復号化プログラム
５０３………実施形態３の非接触ＩＣカード
６………………抽出回路
７………………認証回路
８………………バスライン
９………………通信インターフェース
１００１………実施形態１のパーソナルコンピュータ
１００１Ａ…実施形態１のパーソナルコンピュータに搭載している認証プログラム
１００２………実施形態２のパーソナルコンピュータ
１００２Ａ…実施形態２のパーソナルコンピュータに搭載している認証プログラム
１００３………実施形態３のパーソナルコンピュータ
１００３Ａ…実施形態３のパーソナルコンピュータ本体に搭載される認証プログラム
１００３Ｂ…実施形態３のパーソナルコンピュータ本体に搭載される復号化プログラム
１１……………表示装置
【図１】
2005038005.tif 000003
【図２】
2005038005.tif 000004
【図３】
2005038005.tif 000005
【図４】
2005038005.tif 000006
【図５】
2005038005.tif 000007
【図６】
2005038005.tif 000008
【図７】
2005038005.tif 000009
【図８】
2005038005.tif 000010
【図９】
2005038005.tif 000011
【図１０】
2005038005.tif 000012